(57)【要約】【課題】  画像の読取部に向けて原稿を確実にガイドすると共に、搬送不良が発生した場合に原稿を容易且つ確実に取り除くことが可能な解除構成を備えた自動原稿送り装置を提供することである。【解決手段】  給紙トレイからプラテン１ａに向けて原稿Ｐを案内する原稿搬送路１１と、先端部３４ａが前記プラテン１ａ上に接触する位置に配置され、前記プラテン１ａ上に原稿Ｐを供給するガイド部材３１と、該ガイド部材３１に対向して配置され、該ガイド部材３１との間に前記原稿搬送路１１の一部を形成するガイド板２５と、前記原稿搬送路１１を開放する方向に回動自在に構成されるガイドカバー３７とを備えた自動原稿送り装置Ａにおいて、前記ガイドカバー３７の回動動作に連動して、前記ガイド部材３１を前記ガイド板２５から離れる方向にスライド移動させるレバー部材４１を備えた。【選択図】      図５
2008254892.tif 000002
【特許請求の範囲】
【請求項１】
原稿を載置する給紙トレイと、前記原稿を読み取る読取部と、この読取部に向けて前記給紙トレイから原稿を搬送する原稿搬送路と、前記読取部の上流側近傍の原稿搬送路に沿って設けられるガイド部材と、前記原稿搬送路を開閉するガイドカバーとを備えた自動原稿送り装置において、
前記ガイド部材は、前記ガイドカバーの開動作に連動して、前記読取部の上流側近傍の原稿搬送路から離間する方向に移動することを特徴とする自動原稿送り装置。
【請求項２】
原稿を載置する給紙トレイと、前記原稿を読み取るためのプラテンと、前記給紙トレイから前記プラテンに原稿を案内する原稿搬送路と、先端部が前記プラテン上に接触する位置に配置され、前記プラテン上に原稿を供給するガイド部材と、該ガイド部材に対向して配置され、該ガイド部材との間に前記原稿搬送路の一部を形成する対向ガイド部材と、前記ガイド部材よりも上流側の原稿搬送路を開放する方向に回動自在に構成されるガイドカバーとを備えた自動原稿送り装置において、
前記ガイドカバーの回動動作に連動して、前記ガイド部材を該ガイド部材と対向する前記対向ガイド部材から離れる方向にスライド移動させるガイド移動手段を備えたことを特徴とする自動原稿送り装置。
【請求項３】
前記ガイド移動手段は、前記ガイドカバーの開動作によって係合する係合部と前記ガイド部材を回動可能に軸支持する回転支持部とを有するレバー部材を備えた請求項２記載の自動原稿送り装置。
【請求項４】
前記ガイド部材は、前記レバー部材に給紙ローラを介して回転可能に軸支持されている請求項３記載の自動原稿送り装置。
【請求項５】
前記給紙ローラは、前記ガイド部材と共に前記ガイドカバーの開動作に応じて前記対向ガイド部材から離間する方向に移動する請求項２乃至４のいずれかに記載の自動原稿送り装置。
【請求項６】
前記ガイド部材は、前記プラテン上に面した下面と、前記原稿を前記対向ガイド部材に沿って案内する傾斜したガイド面とを備え、前記下面が前記プラテン上をスライド移動することによって、前記ガイド面が前記対向ガイド部材から平行移動しながら離間する請求項２記載の自動原稿送り装置。
【請求項７】
前記ガイド部材は、前記原稿の搬送方向と直交する方向に複数設けられる請求項１又は２記載の自動原稿送り装置。
【発明の詳細な説明】
【技術分野】
【０００１】
本発明は、複写機等の画像形成装置本体に備えられる自動原稿送り装置に関し、特に搬送不良を起こした原稿の取り除きが容易な構造を備えた自動原稿送り装置に関する。
【背景技術】
【０００２】
複写機、ファクシミリ装置、スキャナ装置等は、給紙トレイ上にセットされた原稿を１枚ずつ繰り出して、その画像を読取部（プラテン）上に自動給紙する自動原稿送り装置を具備する。
【０００３】
この種の自動原稿送り装置には、一般に給紙トレイにセットした原稿を画像形成装置本体の上面に設けられている平面状のプラテンを経由して排紙トレイに至る原稿搬送路を備えている。この原稿搬送路は、原稿を上段側の給紙トレイからプラテンを経由して下段側の排紙トレイに排出させるために、折り返し用の屈曲部を有して略Ｕ字状に形成されているものが多い。
【０００４】
前記原稿搬送路上には、原稿をニップして送り出すための複数のローラを備えたガイドカバーが設けられている。このガイドカバーは、原稿搬送路上で紙詰まり等の搬送不良（ジャム）を起こした原稿を取り除く際やクリーニング等のメンテナンスの際に開放可能となるように、装置本体の側板などに一端を支点として開閉可能に取り付けられている。
【０００５】
このようなジャムした原稿を取り除くための手段としては、前記ガイドカバーの開動作によって、原稿搬送路上に配置されている全てのローラの圧接（ニップ）を解除する構成が特許文献１等に示されている。また、特許文献２では、原稿搬送路上にある複数のローラのうち、特にプラテンの直前に配置されているローラのニップを解除するための手段が示されている。
【特許文献１】特開平９−８６７２２号公報
【特許文献２】特開２００３−３１９１３１号公報
【発明の開示】
【発明が解決しようとする課題】
【０００６】
上記従来例にも示されているように、原稿搬送路に配置されている複数のローラは、原稿搬送路の内側に配置されている駆動ローラと、原稿搬送路の外側にあって、前記駆動ローラに当接する従動ローラとで構成されている。また、前記従動ローラは、原稿搬送路を覆うガイドカバー側に取り付けられているため、このガイドカバーの開動作によって、前記駆動ローラとのニップを容易に解除することができる。一方、前記原稿搬送路の中でも前記プラテンに至る直前の搬送路では、スペースが少ないこともあって、この部分に配置されているローラのニップ解除が十分でない場合がある。特に、前記プラテンに至る直前の搬送路では、原稿の画像の読み取りブレを最小限に抑えるために、原稿を搬送路に沿わせるためのガイド部材が設けられている。このガイド部材は、前記プラテンに送り込む原稿がブレないように、搬送路に沿って１枚分の原稿が通過可能な最小幅の隙間を有して配置されている。
【０００７】
搬送中の原稿がジャムした場合、前記ガイドカバーを開くことによって、ローラのニップを解除することができる。しかしながら、前記プラテンの直前に至る搬送路には、前記ガイド部材が固定して設けられているため、原稿を通過させるための隙間に原稿の先端部分が挟まってしまう場合がある。このため、前記ローラのニップが解除されたとしても、原稿を完全に取り出すのが容易でない場合がある。この状態から無理に取り出そうとすると、挟まっている原稿の先端部分が破れてそのままプラテン上に残ってしまうおそれがある。
【０００８】
そこで、本発明の目的は、画像の読取部に向けて原稿を確実にガイドすると共に、搬送不良が発生した場合に原稿を容易且つ確実に取り除くことが可能な解除構成を備えた自動原稿送り装置を提供することである。
【課題を解決するための手段】
【０００９】
上記課題を解決するために、本発明の自動原稿送り装置は、原稿を載置する給紙トレイと、前記原稿を読み取る読取部と、この読取部に向けて前記給紙トレイから原稿を搬送する原稿搬送路と、前記読取部の上流側近傍の原稿搬送路に沿って設けられるガイド部材と、前記原稿搬送路を開閉するガイドカバーとを備えた自動原稿送り装置において、前記ガイド部材は、前記ガイドカバーの開動作に連動して、前記読取部の上流側近傍の原稿搬送路から離間する方向に移動することを特徴とする。
【００１０】
また、原稿を載置する給紙トレイと、前記原稿を読み取るためのプラテンと、前記給紙トレイから前記プラテンに原稿を案内する原稿搬送路と、先端部が前記プラテン上に接触する位置に配置され、前記プラテン上に原稿を供給するガイド部材と、該ガイド部材に対向して配置され、該ガイド部材との間に前記原稿搬送路の一部を形成する対向ガイド部材と、前記ガイド部材よりも上流側の原稿搬送路を開放する方向に回動自在に構成されるガイドカバーとを備えた自動原稿送り装置において、前記ガイドカバーの回動動作に連動して、前記ガイド部材を該ガイド部材と対向する前記対向ガイド部材から離れる方向にスライド移動させるガイド移動手段を備えたことを特徴とする。
【発明の効果】
【００１１】
本発明に係る自動原稿送り装置によれば、読取部（プラテン）の上流側近傍の原稿搬送路に位置し、前記プラテンに向けて原稿をスムーズにガイドするためのガイド部材がガイドカバーの開動作に連動して前記原稿搬送路上から離間する方向に移動することができる。このように、前記ガイド部材が移動可能となることで、前記プラテンに向けて搬送されてきた原稿が搬送不良等を起こして紙詰まりが発生した場合にあっても、原稿を破損せずに容易に排除することができる。
【００１２】
また、前記ガイド部材は、前記ガイドカバーとの間に設けられるガイド移動手段（レバー部材）を介して移動可能に構成されているため、前記ガイドカバーの開動作を直接伝達できないプラテンの上流側近傍の狭いスペースに配置されている対向ガイド部材との間の隙間を原稿が容易に取り出せる幅に広げることができる。
【発明を実施するための最良の形態】
【００１３】
以下、添付図面に基づいて本発明に係る自動原稿送り装置の実施形態を詳細に説明する。図１は本発明に係る自動原稿送り装置の全体構成を示す断面図であり、図２は前記自動原稿送り装置の読取部を中心とした要部断面図である。また、図３は前記自動原稿送り装置を開放した状態の斜視図である。
【００１４】
本発明の自動原稿送り装置Ａは、図１に示すように、原稿読取装置本体Ｈ上に載置して使用される。原稿読取装置本体Ｈは、複写機やスキャナ装置などのように、主として原稿の画像の読取処理を行うものであり、上面に前記自動原稿送り装置Ａによって搬送される原稿を１枚ずつ連続して読み取るための第１の読取部（第１のプラテン）１ａとブック物等の静止した原稿を読み取るための第２の読取部（第２のプラテン）１ｂとが設けられている。
【００１５】
図１に示した原稿読取装置本体Ｈに備わる画像読取ユニット６は、プラテン１ａ上に搬送された原稿にランプ光を照射する光源２と、搬送されてくる原稿からの反射光を所定の方向に導く複数のミラー群３、その他、前記ミラー群３により導かれた反射光を収束するレンズや光電変換用のＣＣＤなどを備えており、プラテン１ａ上を通過する原稿の画像を逐次読み取ることができる。
【００１６】
自動原稿送り装置Ａは、複数の原稿をセットする給紙トレイ１０と、この給紙トレイ１０から１枚ずつ繰り出された原稿を上述した原稿読取装置本体Ｈのプラテン１ａ上に搬送する原稿搬送路１１と、プラテン１ａ上を通過した原稿を収納する排紙トレイ１２とを備える。
【００１７】
前記原稿搬送路１１には、給紙トレイ１０からプラテン１ａを介して排紙トレイ１２に至るまで原稿を搬送するための手段としての複数のローラ１３，１４，１５，１６，１７が配設されている。前記ローラは、給紙トレイ１０から原稿を１枚ずつ繰り出すための繰出ローラ１３、繰り出された原稿を原稿搬送路１１に給紙するための第１給紙ローラ１４、プラテン１ａの上流側近傍に配置される第２給紙ローラ１５、プラテン１ａの下流側近傍に配置される第１排紙ローラ１６及び排紙トレイ１２の入口に配置される第２排紙ローラ１７とで構成されている。
【００１８】
図２に示すように、前記原稿搬送路１１は、原稿Ｐを屈曲させながら原稿読取位置２１（詳しくはプラテン１ａの下方に配設された画像読取ユニット６によって原稿がプラテン１ａ上を通過する際に原稿Ｐを読み取る位置）に搬送する上流側搬送路と、原稿読取位置２１を通過した原稿Ｐを搬送する下流側搬送路とを備える。
【００１９】
前記第１給紙ローラ１４から第２給紙ローラ１５を経てプラテン１ａに至る間の上流側搬送路は、給紙トレイ１０から繰り出された原稿Ｐがプラテン１ａ上にスムーズに送り込まれるよう湾曲状に形成されている。前記第１給紙ローラ１４及び第２給紙ローラ１５は、それぞれが上流側搬送路の内側に配置される第１駆動ローラ１４ａ，第２駆動ローラ１５ａと、これらの駆動ローラに圧接（ニップ）される外側の第１従動ローラ１４ｂ，第２従動ローラ１５ｂとで構成されている。前記繰出ローラ１３及び第１従動ローラ１４ｂは、ガイドカバー３７側に備えられ、このガイドカバー３７の開放動作によって、前記第１従動ローラ１４ｂと第１駆動ローラ１４ａとのニップが解除されるようになっている。なお、第２従動ローラ１５ｂは、その回転軸５０を第２給紙ローラ１５側に向けて付勢する板バネ５１が設けられており、この板バネ５１によって第２従動ローラ１５ｂが第２駆動ローラ１５ａにニップされるようになっている。
【００２０】
前記第１及び第２給紙ローラ１４，１５によって搬送されてきた原稿Ｐは、原稿搬送路１１の一部を構成している対向ガイド部材（ガイド板）２５と、このガイド板２５に対向した下側に設けられるガイド部材３１との間の隙間Ｔを通過してプラテン１ａ上に送り出される。前記隙間Ｔは、原稿１枚分が通過可能な幅に設定されている。なお、図１及び図２には前記第１駆動ローラ１４ａ，第２駆動ローラ１５ａを回転させるためのモータは省略している。
【００２１】
本発明の特徴的なところは、前記ガイド部材３１が第２給紙ローラ１５を構成している第２従動ローラ１５ｂの第２駆動ローラ１５ａからのニップ解除動作に連動して前記ガイド板２５から離間する方向に移動が可能に配置されている点にある。前記ガイド部材３１は、図２に示されるように、前記第２従動ローラ１５ｂに対して回転可能に軸支持されている。このガイド部材３１は、前記第２従動ローラ１５ｂの回転軸５０が貫通する回転支持部（軸孔）３５と、前記ガイド板２５と対向するガイド面３３と、このガイド面３３が前記ガイド板２５と隙間Ｔを有して対向するようにプラテン１ａ上に面した下面３４とを備える。前記ガイド面３３は、その先端部３４ａがプラテン１ａに当たることで、このプラテン１ａに対して前記ガイド板２５と略同じ傾斜によるガイド角θを形成している。
【００２２】
前記第２従動ローラ１５ｂは、自動原稿送り装置Ａの側板３６に設けられるガイド移動手段（レバー部材）４１の一端に回転可能に取り付けられる。前記レバー部材４１は、板状部材によって形成され、中心部が前記側板３６に回転可能に支持される回転支点４２となり、この回転支点４２から原稿の搬送方向の下流側に延び、前記第２従動ローラ１５ｂが取り付けられる下側腕部４３と、前記回転支点４２から原稿の搬送方向の上流側に延びる上側腕部４４とを有して略く字状に形成されている。前記構成によるレバー部材４１は、前記ガイドカバー３７の開閉に伴う動作を第２従動ローラ１５ｂに伝達するために設けられるものであり、前記上側腕部４４の先端部には、前記ガイドカバー３７を開放した際に、このガイドカバー３７の下流側端部３８が当接する係合部４５が設けられている。なお、このレバー部材４１は、前記ガイドカバー３７が閉鎖され、原稿の搬送可能な状態となっている間は、前記第２従動ローラ１５ｂを第２駆動ローラ１５ａに圧接する板バネ５１によって、外方向に付勢された状態となっている。
【００２３】
上記構成のレバー部材４１によれば、前記係合部４５を原稿搬送路１１側に押圧することによって、回転支点４２を中心に図中右側に回転する。この回転に伴って第２従動ローラ１５ｂは、第２駆動ローラ１５ａからプラテン１ａに向かって回転しながら離れる。この第２従動ローラ１５ｂの動きに連動するように前記ガイド部材３１の先端部３４ａがプラテン１ａ上をすべりながらガイド板２５から離間していく。これによって、ジャムした原稿がスムーズに引き出せるだけの隙間Ｔが前記ガイド板２５とガイド面３３の間に形成されることになる。
【００２４】
前記第２給紙ローラ１５は、プラテン１ａ上の原稿の搬送方向と直交する方向に対して２個以上等間隔で設けられている。また、前記ガイド部材３１についても図３に示すように、前記各第２給紙ローラ１５を構成する第２従動ローラ１５ｂに対応して複数配置することで、原稿が傾くことなく安定した状態で搬送させることができる。
【００２５】
前記プラテン１ａの原稿読取位置２１の下流側には、画像の読取処理が終了した原稿Ｐを通過させるための一対のガイド板が斜め上方に傾斜して延び、第１排紙ローラ１６及び第２排紙ローラ１７によって原稿を順次排紙トレイ１２に搬送する。
【００２６】
次に、上記構成からなる自動原稿送り装置Ａにおける原稿の搬送動作及び搬送不良（ジャム）した原稿の取り除き動作について説明する。図１に示したように、ガイドカバー３７が閉鎖された状態では、第１給紙ローラ１４の第１駆動ローラ１４ａと第１従動ローラ１４ｂ及び第２給紙ローラ１５の第２駆動ローラ１５ａと第２従動ローラ１５ｂがそれぞれニップされる。そして、繰出ローラ１３によって給紙トレイ１０から１枚ずつ繰り出された原稿が第１駆動ローラ１４ａ，第２駆動ローラ１５ａと第１従動ローラ１４ｂ，第２従動ローラ１５ｂにそれぞれ挟まれた状態で原稿搬送路１１上をプラテン１ａに向けて搬送される。また、前記第２給紙ローラ１５とプラテン１ａの上流側の端部に至る下向きに傾斜した原稿搬送路上に設けられているガイド板２５と対向するようにガイド部材３１のガイド面３３が配置されているので、搬送されてきた原稿が撓むことなくプラテン１ａに向けてスムーズに送り出すことができる。これによって、順次搬送されてくる原稿の画像を原稿読取位置２１においてぶれることなく正確に読み取ることができる。
【００２７】
一方、前記原稿の搬送中でジャム等が発生した場合は、ガイドカバー３７を開放する動作によって対応が可能となる。以下、図１，図４，図５に基づいてこの動作を説明する。前記ガイドカバー３７の上流側端部３９を側板３６に設けられている回転支点４０を中心にして持ち上げると、繰出ローラ１３が原稿搬送路１１から離間すると共に、第１従動ローラ１４ｂが第１駆動ローラ１４ａから離間する。また、前記ガイドカバー３７の開放角度をさらに広げ、９０度近くまで持ち上げると、このガイドカバー３７の下流側端部３８が前記レバー部材４１の係合部４５に当たり、レバー部材４１が回転支点４２を中心にして図中時計回りに回転する。このレバー部材４１の回転によって、下側腕部４３の端部に軸支持されている第２従動ローラ１５ｂが第２駆動ローラ１５ａから下方に向けて離間し、さらに、この第２従動ローラ１５ｂの移動に伴ってガイド部材３１がガイド板２５から下方に離間する。前記ガイド部材３１は、第２従動ローラ１５ｂの移動に伴って、先端部３４ａがプラテン１ａ上に接しながら図中左方向に僅かにスライド移動する。このスライド移動によって、ガイド面３３とガイド板２５との間の隙間Ｔが広がる。このようにジャムした原稿Ｐを排除する際、第１給紙ローラ１４及び第２給紙ローラ１５のニップの解除だけでなく、原稿Ｐを原稿搬送路１１の形状に沿ってガイドしているガイド部材３１も一緒に後退可能となるので、プラテン１ａに引き込まれたままとなっている原稿Ｐを破損せずに容易に取り出すことができる。
【００２８】
上記操作によって、ジャムした原稿を取り除いた後、開放状態となっているガイドカバー３７を給紙トレイ１０側に閉鎖する動作を開始すると、ガイドカバー３７の下流側端部３８が係合部４５から外れ、レバー部材４１が元の回転位置に図２に示した板バネ５１の付勢によって戻る。これによって、前記第２従動ローラ１５ｂと第２駆動ローラ１５ａがニップすると共に、ガイド部材３１も前記第２従動ローラ１５ｂに連動して前記ガイド板２５との間に所定の隙間を有した位置に戻り固定される。さらに、前記ガイドカバー３７を給紙トレイ１０側に回転させて原稿搬送路１１を覆う元の位置まで戻すと、このガイドカバー３７側の第１従動ローラ１４ｂが第１駆動ローラ１４ａにニップして原稿の搬送が可能な状態となる。
【００２９】
以上、説明したように、本発明の自動原稿送り装置Ａにあっては、原稿の画像を読み取るためのプラテン１ａの直前に至る狭い原稿搬送路がガイドカバー３７の開放動作によって、所定の隙間を確保した状態で開放可能となる。これによって、前記プラテン１ａ上に引き込まれた状態でジャムした原稿を破損することなく容易且つ安全に取り除くことができる。特に、前記レバー部材４１を介してガイドカバー３７の開閉動作をガイド部材３１に伝達するように構成されているので、前記ガイド部材３１の移動操作がプラテン１ａと第２給紙ローラ１５とで挟まれている狭いスペースで可能となった。
【００３０】
一方、前記ガイドカバー３７が通常の閉鎖状態にあるときは、前記ガイド部材３１のガイド面３３がプラテン１ａの直前に至る原稿搬送路に沿って配置されているため、給紙トレイ１０から搬送されてくる原稿をスムーズにプラテン１ａの原稿読取位置２１に送り出すことができる。これによって、原稿面がぶれることなく精度よく画像を読取処理することができる。
【図面の簡単な説明】
【００３１】
【図１】本発明に係る自動原稿送り装置の全体構成を示す断面図である。
【図２】上記自動原稿送り装置の読取部における要部断面図である。
【図３】上記自動原稿送り装置のガイドカバー開放時の斜視図である。
【図４】上記ガイドカバーの開動作の開始を示す説明図である。
【図５】上記ガイドカバーの開動作に連動してガイド部材が移動した状態を示す説明図である。
【符号の説明】
【００３２】
Ｈ  原稿読取装置本体
Ａ  自動原稿送り装置
Ｐ  原稿
Ｔ  隙間
θ  ガイド角
１ａ，１ｂ  プラテン（読取部）
２  光源
３  ミラー群
６  画像読取ユニット
１０  給紙トレイ
１１  原稿搬送路
１２  排紙トレイ
１３  繰出ローラ
１４  第１給紙ローラ
１４ａ  第１駆動ローラ
１４ｂ  第１従動ローラ
１５  第２給紙ローラ
１５ａ  第２駆動ローラ
１５ｂ  第２従動ローラ
１６  第１排紙ローラ
１７  第２排紙ローラ
２１  原稿読取位置
２５  ガイド板（対向ガイド部材）
３１  ガイド部材
３３  ガイド面
３４  下面
３４ａ  先端部
３５  軸孔（回転支持部）
３６  側板
３７  ガイドカバー
３８  下流側端部
３９  上流側端部
４０  回転支点
４１  レバー部材（ガイド移動手段）
４２  回転支点
４３  下側腕部
４４  上側腕部
４５  係合部
５１  板バネ
【図１】
2008254892.tif 000003
【図２】
2008254892.tif 000004
【図３】
2008254892.tif 000005
【図４】
2008254892.tif 000006
【図５】
2008254892.tif 000007